(57)【要約】【課題】表示画像の解像度に与える影響を小さくし、かつ、視野角特性を改善することができる技術が望まれていた。【解決手段】本開示によれば、入力画素を、入力画素よりも輝度の高い複数の高輝度画素フレーム及び入力画素よりも輝度の低い複数の低輝度画素フレームに分割し、高輝度画素フレーム及び低輝度画素フレームの各々を連続して表示素子に表示させる表示制御部を備える、表示制御装置が提供される。【選択図】図１
2013167846.tif 000002
【特許請求の範囲】
【請求項１】
入力画素を前記入力画素よりも輝度の高い高輝度画素フレーム及び前記入力画素よりも輝度の低い低輝度画素フレームに分割し、前記高輝度画素フレーム及び前記低輝度画素フレームの各々を複数フレームずつ連続して表示素子に表示させる表示制御部を備える、表示制御装置。
【請求項２】
前記表示制御部は、前記高輝度画素フレームを表示する表示素子の数と前記低輝度画素フレームを表示する表示素子の数とを各時点で等しくする、請求項１記載の表示制御装置。
【請求項３】
前記表示制御部は、前記表示素子の温度に基づいて、前記高輝度画素フレームの数と前記低輝度画素フレームの数との比を調整する、請求項１記載の表示制御装置。
【請求項４】
前記表示制御部は、前記表示素子の温度が高いほど、前記低輝度画素フレームの数と前記高輝度画素フレームの数との比を１に近づける、請求項３記載の表示制御装置。
【請求項５】
前記表示制御部は、前記高輝度画素フレームが前記表示素子に表示される時間及び前記低輝度画素フレームが前記表示素子に表示される時間のうち、少なくとも一方の時間の後半部分で前記表示素子のバックライトを点灯させる、請求項１記載の表示制御装置。
【請求項６】
前記表示制御部は、前記表示素子の温度に基づいて、前記バックライトの点灯時間を調整する、請求項５記載の表示制御装置。
【請求項７】
前記表示制御部は、前記表示素子の温度が高いほど、前記バックライトの点灯時間を長くする、請求項６記載の表示制御装置。
【請求項８】
入力画素を前記入力画素よりも輝度の高い高輝度画素フレーム及び前記入力画素よりも輝度の低い低輝度画素フレームに分割し、前記高輝度画素フレーム及び前記低輝度画素フレームの各々を複数フレームずつ連続して表示素子に表示させることを含む、表示制御方法。
【請求項９】
コンピュータに、
入力画素を前記入力画素よりも輝度の高い高輝度画素フレーム及び前記入力画素よりも輝度の低い低輝度画素フレームに分割し、前記高輝度画素フレーム及び前記低輝度画素フレームの各々を複数フレームずつ連続して表示素子に表示させる表示制御機能を実現させる、プログラム。
【発明の詳細な説明】
【技術分野】
【０００１】
本開示は、表示制御装置、表示制御方法、及びプログラムに関する。
【背景技術】
【０００２】
特許文献１、２には、液晶表示パネルの視野角特性を改善する技術が開示されている。
【先行技術文献】
【特許文献】
【０００３】
【特許文献１】特開２００９−１８７０３３号公報
【特許文献２】特開２００９−２２３３４５号公報
【発明の概要】
【発明が解決しようとする課題】
【０００４】
しかし、特許文献１に開示された技術では、視野角特性の改善効果が小さかった。一方、特許文献２に開示された技術では、表示画像の解像度が低下していた。このため、表示画像の解像度に与える影響を小さくし、かつ、視野角特性を改善することができる技術が望まれていた。
【課題を解決するための手段】
【０００５】
本開示によれば、入力画素を入力画素よりも輝度の高い高輝度画素フレーム及び入力画素よりも輝度の低い低輝度画素フレームに分割し、高輝度画素フレーム及び低輝度画素フレームの各々を複数フレームずつ連続して表示素子に表示させる表示制御部を備える、表示制御装置が提供される。
【０００６】
本開示によれば、入力画素を入力画素よりも輝度の高い高輝度画素フレーム及び入力画素よりも輝度の低い低輝度画素フレームに分割し、高輝度画素フレーム及び低輝度画素フレームの各々を複数フレームずつ連続して表示素子に表示させることを含む、表示制御方法が提供される。
【０００７】
本開示によれば、コンピュータに、入力画素を入力画素よりも輝度の高い高輝度画素フレーム及び入力画素よりも輝度の低い低輝度画素フレームに分割し、高輝度画素フレーム及び低輝度画素フレームの各々を複数フレームずつ連続して表示素子に表示させる表示制御機能を実現させる、プログラムが提供される。
【０００８】
本開示によれば、高輝度画素フレーム及び低輝度画素フレームの各々を複数フレームずつ連続して表示素子に表示させることができる。
【発明の効果】
【０００９】
以上説明したように本開示によれば、表示制御部は、表示素子の表示可能輝度をより確実に所望の輝度に一致させることができ、かつ、これらが一致する時間を長くすることができる。したがって、本開示によれば、視野角特性を改善することができる。さらに、本開示によれば、１つの表示素子に入力画素を表示させることができるので、解像度に与える影響を小さくすることができる。
【図面の簡単な説明】
【００１０】
【図１】本開示の実施形態に係る表示制御装置の構成を示すブロック図である。
【図２】表示制御装置による液晶表示パネルの駆動例を示すグラフである。
【図３】表示制御装置による液晶表示パネルの駆動例を示す説明図である。
【図４】表示制御装置による処理の手順を示すフローチャートである。
【図５】表示制御装置によって参照されるルックアップテーブルの例を示す説明図である。
【図６】表示制御装置による液晶表示パネルの駆動例を示す説明図である。
【図７】表示制御装置による液晶表示パネルの駆動例を示す説明図である。
【図８】表示制御装置による液晶表示パネルの駆動例を示す説明図である。
【図９】表示制御装置による液晶表示パネルの駆動例を示す説明図である。
【図１０】液晶表示パネルの他の駆動方法による駆動例を示す説明図である。
【図１１】液晶表示パネルの他の駆動方法による駆動例を示す説明図である。
【図１２】液晶表示パネルの他の駆動方法による駆動例を示す説明図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
なお、説明は以下の順序で行うものとする。
１．表示制御装置の構成
２．表示制御部の構成
３．液晶表示パネルの駆動方法に関する考察
４．表示制御装置による処理の手順
また、以下の説明において、「Ａ〜Ｂ」は「Ａ以上Ｂ未満」を意味するものとする。
【００１３】
＜１．表示制御装置の構成＞
まず、図１に基づいて、本実施形態に係る表示制御装置１の構成について説明する。表示制御装置１は、データドライバ３０と、ゲートドライバ４０と、温度センサ５０と、表示制御部６０とを備える。表示制御装置１は、液晶表示パネル１０と、バックライト２０とに接続されており、表示制御装置１、液晶表示パネル１０、及びバックライト２０により、液晶表示装置が構成される。
【００１４】
なお、表示制御部６０は、各種のハードウェア構成、例えばＣＰＵ、ＲＯＭ、ＲＡＭ等によって実現される。すなわち、ＲＯＭには表示制御部６０の各機能ブロックを実現させるためのプログラムが記録されており、ＣＰＵは、当該プログラムを読みだして実行する。これにより、表示制御部６０の各機能ブロックが実現される。
【００１５】
液晶表示パネル１０は、例えばアクティブマトリクス方式の液晶表示パネルであるが、他の方式であってもよい。液晶表示パネル１０は、図３に示すように、マトリクス状に配置された複数の表示素子１１を備える。各表示素子１１は、赤色を表示する赤色表示素子１１Ｒ、緑色を表示する緑色表示素子１１Ｇ、青色を表示する青色表示素子１１Ｂのいずれかである。縦方向には、同じ色の表示素子１１が配置される。また、横方向には、赤、緑、青の順番で表示素子１１が配置される。
【００１６】
各表示素子１１は、概略的には、ＴＦＴ（Ｔｈｉｎ  Ｆｉｌｍ  Ｔｒａｎｓｉｓｔｏｒ）と、画素電極と、コモン電極と、液晶層と、Ｃｓ電極とを備える。ＴＦＴ及び各電極は、液晶層を挟む基板上に設けられる。ＴＦＴのソースはデータバスライン３１に、ゲートはゲートバスライン４１に、ドレインは画素電極にそれぞれ接続される。液晶層は画素電極とコモン電極との間に配置される。データドライバ３０及びゲートドライバ４０からそれぞれデータ駆動電圧及びゲート駆動電圧が供給されることで、画素電極とコモン電極との間に電圧（以下、応答電圧とも称する）が発生し、この応答電圧によって液晶層の配向が変化する。Ｃｓ電極は画素電極の電荷を保持するためのものである。各表示素子１１の輝度は、応答電圧の絶対値によって制御される。即ち、応答電圧の絶対値が大きいほど、輝度が大きくなる。
【００１７】
なお、表示素子１１にデータ駆動電圧及びゲート駆動電圧が与えられても、応答電圧はすぐに目標の電圧（例えばデータ駆動電圧）にはならず、時間の経過に応じて目標の電圧に徐々に近づく。表示素子に駆動電圧が与えられてから応答電圧が目標の電圧に一致するまでの時間、即ち応答時間は、液晶表示パネル１０の特性や、表示素子１１の温度（詳細には、液晶層の温度）等に依存して変動する。本実施形態は、表示素子１１の応答時間に着目し、同じ輝度の画素フレームを連続して表示素子１１に表示させる。詳細は後述する。
【００１８】
バックライト２０は、液晶表示パネル１０を後方から照らす。本実施形態は、バックライト２０を連続した画素フレームの後半部分で点灯させる。詳細は後述する。データドライバ３０は、データバスライン３１を介して表示素子１１に駆動電圧、即ちデータ駆動電圧を供給する。ゲートドライバ４０は、ゲートバスライン４１を介して表示素子１１に駆動電圧、即ちゲート駆動電圧を供給する。温度センサ５０は、液晶表示パネル１０の基板に設けられ、基板の温度を測定する。そして、温度センサ５０は、測定値に関する測定値情報を表示制御部６０に出力する。なお、後述するように、液晶層温度は明暗フレーム数及びバックライト点灯幅を決定する際のパラメータとされる。したがって、液晶層温度を直接測定することが好ましいが、液晶層温度を直接測定するのは容易でない。そこで、本実施形態では、液晶層に隣接する基板の温度を測定する。なお、測定値情報は表示制御部６０によって補正されることで、液晶層温度に略一致する値とされる。
【００１９】
表示制御部６０は、画像処理部６１と、記憶部６２と、タイミング制御部６３と、バックライト制御部６４とを備える。画像処理部６１は、入力画像を取得する。一方、画像処理部６１は、測定値情報に補正係数（例えば、オフセット及びゲイン）を乗じることで、液晶層温度を算出する。
【００２０】
温度センサ５０は、基板温度を測定するため、測定値と液晶層温度とは厳密には一致しない。しかし、基板温度と液晶層温度との間には一定の関係があるので、基板温度から液晶層温度を予測することは可能である。そこで、本実施形態では、測定値情報、即ち基板温度に補正係数を乗じることで、液晶層温度を算出することとしている。
【００２１】
そして、画像処理部６１は、入力画像を構成する各画素、即ち入力画素を、入力画素よりも輝度の高い高輝度画素フレーム及び入力画素よりも輝度の低い低輝度画素フレームに分割する。そして、画像処理部６１は、液晶層温度と、後述するルックアップテーブルとに基づいて、高輝度画素フレーム及び低輝度画素フレームの数を決定する。
【００２２】
ここで、高輝度画素フレーム及び低輝度画素フレームの数は、いずれも２以上となる。そして、高輝度画素フレーム及び低輝度画素フレームの合計はｎ１個（ｎ１は４以上の整数）となる。ｎ１の値は任意であるが、例えば４〜８となる。以下、高輝度画素フレーム及び低輝度画素フレームのうち、ｋ番目（ｋは１以上ｎ１以下の整数）に表示素子１１に表示される画素フレームを「フレームｋ」とも称する。また、高輝度画素フレームを単に「明」とも称し、低輝度画素フレームを単に「暗」とも称する。高輝度画素フレームの輝度と低輝度画素フレームの輝度との算術平均値は入力画素の輝度に一致する。高輝度画素フレームの輝度と低輝度画素フレームの輝度との差はなるべく大きいことが好ましい。これらの差が大きいほど、視野角特性の改善効果が大きいからである。入力画素の輝度が最大値（液晶表示パネル１０により表示可能な最大値）となる場合、高輝度画素フレームの輝度及び低輝度画素フレームの輝度はいずれも当該最大値に一致する。
【００２３】
さらに、画像処理部６１は、１画素フレームの表示時間を決定する。１画素フレームの表示時間は、入力画像のフレーム間隔（ある入力画像が与えられてから次の入力画像が与えられるまでの時間）をｎ１で除算した値となる。例えば、入力画像のフレーム間隔が１／６０（ｓｅｃ）となる場合、１画素フレームの表示時間は１／（６０×ｎ１）（ｓｅｃ）となる。
【００２４】
そして、画像処理部６１は、高輝度画素フレーム及び低輝度画素フレームの表示順序を表示素子１１毎に決定する。ここで、画像処理部６１は、高輝度画素フレーム及び低輝度画素フレームの各々が複数フレームずつ連続して表示素子１１に表示されるように、表示順序を設定する。以下、高輝度画素フレームが表示素子１１に表示される時間を高輝度画素フレーム表示時間とし、低輝度画素フレームが表示素子１１に表示される時間を低輝度画素フレーム表示時間とも称する。
【００２５】
表示順序の例を図２に基づいて説明する。図２は、表示順序と表示素子１１の表示可能輝度との対応関係を示す。図２の横軸は時刻を示し、縦軸は表示素子１１の応答電圧を表示素子１１の表示可能輝度で示す。ここで、表示可能輝度は、表示素子１１が表示可能な輝度を示す。即ち、表示素子１１は、バックライト２０により照らされた際に、表示可能輝度の画素を表示する。図２によれば、時刻０〜ｔ１、ｔ１〜ｔ２、ｔ２〜ｔ３、ｔ３〜ｔ４でそれぞれフレーム１〜４が表示される。Ｔｈ１は高輝度画素フレームの輝度を示し、Ｔｈ２は低輝度画素フレームの輝度を示す。グラフＬ１は、各時刻での表示素子１１の表示可能輝度、即ち表示素子１１の応答波形を示す。
【００２６】
図２に示す例では、表示順序は「明」、「明」、「暗」、「暗」となっている。したがって、高輝度画素フレーム表示時間は時刻０〜ｔ２であり、低輝度画素フレーム表示時間は時刻ｔ２〜ｔ４である。また、表示素子１１の応答時間は、１画素フレームの表示時間に略一致する。したがって、高輝度画素フレーム表示時間の後半部分、即ちフレーム２で表示可能輝度が高輝度画素フレームの輝度Ｔｈ１に一致する。同様に、低輝度画素フレーム表示時間の後半部分、即ちフレーム４で表示可能輝度が低輝度画素フレームの輝度Ｔｈ２に一致する。したがって、本実施形態では、表示素子１１の表示可能輝度を各画素フレームの輝度に一致させることができる。
【００２７】
なお、図２に示すように、応答時間は、１画素フレームの表示時間に略一致することから、高輝度画素フレーム表示時間及び低輝度画素フレーム表示時間の前半部分、即ちフレーム１、３では、表示可能輝度が各画素フレームの輝度に一致しない。そこで、画像処理部６１は、高輝度画素フレーム表示時間及び低輝度画素フレーム表示時間の後半部分でバックライト２０が点灯するように、バックライト２０の点灯スケジュールを設定する。点灯スケジュールは、バックライト２０の点灯開始時刻と点灯終了時刻を示す。点灯開始時刻は、各表示時間の終了時刻よりもバックライト点灯幅だけ前の時刻であり、バックライト点灯終了時刻は、各表示時間の終了時刻に一致する。バックライト点灯幅は、後述するルックアップテーブルに規定され、液晶層温度が高いほど長くなる。
【００２８】
この例では、画像処理部６１は、フレーム２、４でバックライト２０が点灯するように、点灯スケジュールを設定する。バックライト制御部６３は、この点灯スケジュールに従ってバックライト２０を点灯させる。即ち、バックライト制御部６３は、バックライト２０をブリンキング駆動する。これにより、本実施形態は、高輝度画素フレームの輝度及び低輝度画素フレームの輝度を表示することができる。なお、画像処理部６１は、点灯スケジュールを液晶表示パネル１０の一部の表示素子１１に対してのみ設定してもよい。
【００２９】
さらに、画像処理部６１は、高輝度画素フレームを表示する表示素子１１の数と低輝度画素フレームを表示する表示素子１１の数とが各時点で等しくなるように、各表示素子１１の表示順序を設定する。例えば、画像処理部６１は、液晶表示パネル１０を構成する表示素子１１のうち、半数の表示素子１１に対する表示順序を「明」、「明」、「暗」、「暗」とし、残り半数の表示素子１１に対する表示順序を「暗」、「暗」、「明」、「明」とする。この処理の例を図３に示す。この例では、１行目及び３行目の表示素子１１が「暗」、「暗」、「明」、「明」の表示順序で駆動し、２行目及び４行目の表示素子１１が「明」、「明」、「暗」、「暗」の表示順序で駆動する。なお、本実施形態では、輝度の区分（高輝度または低輝度の区分）をハッチングの有無で示す。
【００３０】
画像処理部６１は、表示順序及び１画素フレームの表示時間に関する表示スケジュールを設定し、タイミング制御部６４に出力する。さらに、画像処理部６１は、点灯スケジュールをバックライト制御部６３に出力する。一方、画像処理部６１は、表示スケジュール及び点灯スケジュールを記憶部６２に記憶する。
【００３１】
記憶部６２は、表示制御部６０による処理に必要な各種情報、例えばプログラム、補正係数、入力画像カウンタ、及びルックアップテーブルを記憶する。入力画像カウンタは、画像処理部６１が入力画像を取得する毎に１増加する。ルックアップテーブルは、液晶層温度範囲と、明暗フレーム数と、バックライト点灯幅とを関連付けて記録するものである。画像処理部６１は、ルックアップテーブルに基づいて、現在の液晶層温度に対応する明暗フレーム数及びバックライト点灯幅を決定する。そして、画像処理部６１は、明暗フレーム数及びバックライト点灯幅に基づいて、上述した表示スケジュール及び点灯スケジュールを設定する。
【００３２】
図５にルックアップテーブルの一例を示す。このルックアップテーブルは、１画素フレームの表示時間が１／４８０（ｓｅｃ）（ｎ１＝８、入力画像のフレーム間隔＝１／６０（ｓｅｃ））となる場合に使用される。
【００３３】
図５に示すルックアップテーブルでは、液晶層温度範囲が１０度刻みで設定される。ただし、液晶層温度範囲の刻み幅は液晶表示パネル１０の特性に応じて任意に調整される。例えば、液晶表示パネル１０の温度依存性が大きいほど、液晶層温度範囲の刻み幅は狭くなる方が好ましい。また、上述したように、液晶層温度と基板温度との間には一定の関係があるので、ルックアップテーブルでは、基板温度範囲と明暗フレーム数及びバックライト点灯幅とが関連付けられていてもよい。この場合、画像処理部６１は、測定値情報をそのまま使用することができる。
【００３４】
明暗フレーム数は、高輝度画素フレーム（明）の数及び低輝度画素フレーム（暗）の数を示す。言い換えれば、明暗フレーム数は、高輝度画素フレームの数と低輝度画素フレームの数との比を示す。低温時には、低輝度画素フレームの数の方が多く、高温時には、これらの数が等しくなる。したがって、このルックアップテーブルは、低温時の応答速度が高温時の応答速度よりも遅い液晶表示パネル１０に対応している。
【００３５】
即ち、液晶表示パネル１０の特性によっては、立ち下がり（高輝度から低輝度への遷移）時の表示素子１１の応答速度と立ち上がり（低輝度から高輝度への遷移）時の表示素子１１の応答速度とに差がある場合がある。そこで、本実施形態では、立ち下がり時の応答速度のほうが遅い場合、低輝度画素フレームを高輝度画素フレームより多くする。これにより、低輝度画素フレーム表示時間が長くなるので、表示素子１１の表示可能輝度はより確実に低輝度画素フレームの輝度に到達できる。即ち、視野角改善効果が大きくなる。同様に、立ち上がり時の応答速度のほうが遅い場合、高輝度画素フレーム数が低輝度画素フレーム数よりも多くなるように、明暗フレーム数が設定される。即ち、明暗フレーム数は、液晶表示パネル１０の特性に応じて決定される。なお、表示素子１１の応答速度は液晶層温度に依存する。液晶層温度が高くなると、応答速度の温度依存性が小さくなるので、低輝度画素フレームと高輝度画素フレームとは同じ数とされてよい。また、ｎ１の値に応じて、明暗フレーム数の値も変動する。具体的には、高輝度画素フレームの数と低輝度画素フレームの数との比は変わらず、これらの数が変動する。ｎ１の値が大きいほど、より精度の高い表示制御が可能になる。
【００３６】
バックライト点灯幅（バックライト点灯時間）は、高輝度画素フレーム表示時間及び低輝度画素フレーム表示時間のそれぞれに対して設定される。表示素子１１の応答速度は温度に依存し、高温では速く低温では遅くなる。このため、低温では表示可能輝度が所望の輝度に到達するのに時間がかかる。一方、表示可能輝度が所望の輝度に到達する前にバックライト２０が点灯すると視野角改善の効果が減少してしまう。そこで、本実施形態では、低温時には点灯幅を短くする。一方、高温では表示可能輝度が所望の輝度に短時間で到達するため、本実施形態では、バックライト２０の点灯幅を長くする。このように、本実施形態では、液晶層温度に応じてバックライト点灯幅を変えるので、視野角特性をより大きく改善することができる。勿論、図５に示すバックライト点灯幅は一例であり、液晶表示パネル１０の特性に応じて任意に設定される。
【００３７】
図５に示すルックアップテーブルに基づいて設定される表示スケジュール及び点灯スケジュールの例を図６〜図９に示す。なお、図６〜図９の横軸、縦軸、及びグラフＬ１の意味は図２と同様である。また、入力画像のフレーム間隔は１／６０（ｓｅｃ）であるものとする。
【００３８】
画像処理部６１は、液晶層温度が１０度未満となる場合、図６に示す表示スケジュール及び点灯スケジュールを設定する。具体的には、画像処理部６１は、フレーム１〜３を高輝度画素フレームとし、フレーム４〜８を低輝度画素フレームとし、１画素フレームの表示時間を１／４８０（ｓｅｃ）とする。さらに、画像処理部６１は、フレーム３、８の開始時刻をそれぞれ点灯開始時刻とし、フレーム３、８の終了時刻をそれぞれ点灯終了時刻とする。
【００３９】
同様に、画像処理部６１は、液晶層温度が１０〜２０度となる場合、図７に示す表示スケジュール及び点灯スケジュールを設定する。具体的には、画像処理部６１は、フレーム１〜３を高輝度画素フレームとし、フレーム４〜８を低輝度画素フレームとし、１画素フレームの表示時間を１／４８０（ｓｅｃ）とする。さらに、画像処理部６１は、フレーム２、７の開始時刻をそれぞれ点灯開始時刻とし、フレーム３、８の終了時刻をそれぞれ点灯終了時刻とする。
【００４０】
同様に、画像処理部６１は、液晶層温度が２０〜３０度となる場合、図８に示す表示スケジュール及び点灯スケジュールを設定する。具体的には、画像処理部６１は、フレーム１〜４を高輝度画素フレームとし、フレーム５〜８を低輝度画素フレームとし、１画素フレームの表示時間を１／４８０（ｓｅｃ）とする。さらに、画像処理部６１は、フレーム２、６の中間時刻をそれぞれ点灯開始時刻とし、フレーム４、８の終了時刻をそれぞれ点灯終了時刻とする。
【００４１】
同様に、画像処理部６１は、液晶層温度が３０度以上となる場合、図９に示す表示スケジュール及び点灯スケジュールを設定する。具体的には、画像処理部６１は、フレーム１〜４を高輝度画素フレームとし、フレーム５〜８を低輝度画素フレームとし、１画素フレームの表示時間を１／４８０（ｓｅｃ）とする。さらに、画像処理部６１は、フレーム２、６の開始時刻をそれぞれ点灯開始時刻とし、フレーム４、８の終了時刻をそれぞれ点灯終了時刻とする。
【００４２】
なお、画像処理部６１は、液晶表示パネル１０の全表示素子１１のうち、半数の表示素子１１に対して図６〜図９に示すスケジュールを設定し、残り半数の表示素子１１に対して明暗の順序が逆転したスケジュールを設定する。
【００４３】
バックライト制御部６３は、点灯スケジュールに基づいて、バックライト２０をブリンキング駆動する。タイミング制御部６４は、表示スケジュールに基づいて、データドライバ３０及びゲートドライバ４０を制御する。データドライバ３０は、高輝度画素フレームを表示する表示素子１１に対しては、高輝度用のデータ駆動電圧を供給し、低輝度画素フレームを表示する表示素子１１に対しては、低輝度用のデータ駆動電圧を供給する。
【００４４】
＜３．液晶表示パネルの駆動方法に関する考察＞
上述したように、表示制御部６０は、高輝度画素フレーム及び低輝度画素フレームの各々を複数フレームずつ連続して表示素子１１に表示させる。さらに、表示制御部６０は、高輝度画素フレームを表示する表示素子１１の数と低輝度画素フレームを表示する表示素子１１の数とを各時点（各画素フレーム）で等しくする。さらに、表示制御部６０は、高輝度画素フレーム表示時間及び低輝度画素フレーム表示時間の後半部分でバックライト２０を点灯させる。表示制御部６０がこのような処理を行う理由を、液晶表示パネルの視野角特性の向上を目的とした各種駆動方法と対比しながら説明する。
【００４５】
液晶表示パネル１０の駆動方法の１つとして、入力画素を時間分割する方法が提案されている。この駆動方法も、入力画素を高輝度画素フレーム及び低輝度画素フレームに分割する。ただし、この駆動方法は、高輝度画素フレーム及び低輝度画素フレームが１画素フレーム毎に交互に表示されるように、表示順序が設定される。表示順序の一例を図１０に示す。図１０の横軸、縦軸、及びグラフＬ１の意味は図２に示すものと同様である。図１０に示すように、高輝度画素フレーム及び低輝度画素フレームが１フレーム毎に繰り返し表示される。しかし、この駆動方法では、表示素子１１の表示可能輝度は、所望の輝度（即ち、高輝度画素フレームの輝度または低輝度画素フレームの輝度）に殆ど一致しない。言い換えれば、表示素子１１の表示可能輝度と所望の輝度とのずれが非常に大きくなる。さらに、この駆動方法では、応答時間が１画素フレームの表示時間よりも長い場合、表示可能輝度を所望の輝度に一致させることができない。
【００４６】
さらに、この駆動方法では、図１２に示すように、各時点で全ての表示素子１１が同じ輝度区分（高輝度または低輝度の区分）の画素を表示するので、ユーザはフリッカを視認してしまう。フリッカは、１画素フレームの表示時間を短くしても完全には解消しない。
【００４７】
一方、液晶表示パネル１０の駆動方法として、入力画素を空間分割する方法も提案されている。この駆動方法は、複数の表示画素１１を含む単位素子を設定し、単位素子内の各表示素子１１を高輝度表示画素または低輝度表示画素とする。そして、この駆動方法は、単位素子を用いて入力画素を表示する。図１１にこの駆動方法の例を示す。この例では、上下２つの表示素子１１によって単位素子１２が設定される。この駆動方法では、複数の表示素子１１で１つの入力画素を表示するので、解像度が低下する。例えば、図１１に示す例では、２つの表示素子１１で１つの入力画素を表示するので、液晶表示パネル１０の解像度が１／２に低下する。
【００４８】
そこで、表示制御部６０は、高輝度画素フレーム及び低輝度画素フレームの各々を複数フレームずつ連続して表示素子１１に表示させる。これにより、表示制御部６０は、表示可能輝度と所望の輝度とをより確実に一致させることができ、かつ、これらが一致する時間を長くすることができる。さらに、表示制御部６０は、高輝度画素フレームを表示する表示素子１１の数と低輝度画素フレームを表示する表示素子１１の数とを各時点で等しくするので、各時点での平均輝度が略一致する。これにより、フリッカが低減される。さらに、表示制御部６０は、高輝度画素フレーム表示時間及び低輝度画素フレーム表示時間の後半部分でバックライト２０を点灯させる。これにより、表示制御部６０は、表示可能輝度が所望の輝度に一致した際にバックライト２０を点灯させることができるので、所望の輝度をより確実に表示することができる。さらに、１つの単位素子１１が１つの入力画素を表示するので、液晶表示パネル１０の解像度は維持される。
【００４９】
＜４．表示制御装置による処理の手順＞
次に、表示制御装置１による処理の手順を図４に示すフローチャートに沿って説明する。ステップＳ１０において、画像処理部６１は、入力画像を取得し、入力画像カウンタの値を１増加させる。次いで、画像処理部６１は、入力画像のフレーム間隔に基づいて、１画素フレームの表示時間を決定する。
【００５０】
次いで、画像処理部６１は、入力画像カウンタの値がｎ２以上であるか否かを判定する。画像処理部６１は、入力画像カウンタの値がｎ２であると判定した場合には、ステップＳ２０に進み、入力画像カウンタの値がｎ２未満であると判定した場合には、ステップＳ７０に進む。即ち、画像処理部６１は、一定期間ごとに表示スケジュール及び点灯スケジュールの再設定を行なう。ｎ２の値は、液晶表示パネルの特性や液晶表示パネル１０の駆動開始からの時間に応じて設定される。例えば、液晶表示パネル１０の電源オン直後は液晶層の温度変動が激しいので、ｎ２は小さい値に設定される。一方、液晶表示パネル１０の電源オンから３０分程度経過した後は、液晶層温度は所定値で飽和するので、ｎ２の値は大きな値に設定される。例えば、画像処理部６１は、液晶表示パネル１０の電源オン直後は数十秒間隔でスケジュールを再設定し、液晶表示パネル１０の電源オンから３０分程度経過した後は、数分間隔でスケジュールを再設定すればよい。
【００５１】
ステップＳ２０において、画像処理部６１は、温度センサ５０から測定値情報を取得する。ステップＳ３０において、画像処理部６１は、測定値情報に補正係数を乗じることで、液晶層温度を算出する。ステップＳ４０において、画像処理部６１は、図５に示すルックアップテーブルに基づいて、液晶層温度に応じた明暗フレーム数を決定（選択）する。ステップＳ５０において、画像処理部６１は、図５に示すルックアップテーブルに基づいて、液晶層温度に応じたバックライト点灯幅を決定（選択）する。
【００５２】
ステップＳ６０において、画像処理部６１は、明暗フレーム数及びバックライト点灯幅に基づいて、表示スケジュール及び点灯スケジュールを設定する。具体的な設定方法は上述したとおりである。画像処理部６１は、これらのスケジュールを記憶部６２に記憶する。
【００５３】
ステップＳ７０において、画像処理部６１は、記憶部６２から表示スケジュールを取得し、タイミング制御部６４に出力する。タイミング制御部６４は、表示スケジュールに基づいて、データドライバ３０及びゲートドライバ４０を制御する。一方、画像処理部６１は、記憶部６２から点灯スケジュールを取得し、バックライト制御部６３に出力する。バックライト制御部６３は、点灯スケジュールに基づいて、バックライト２０をブリンキング駆動する。その後、画像処理部６１は、処理を終了する。
【００５４】
以上により、本実施形態では、表示制御装置１は、入力画素を高輝度画素フレーム及び低輝度画素フレームに分割し、高輝度画素フレーム及び低輝度画素フレームの各々を複数フレームずつ連続して表示素子１１に表示させる。したがって、表示制御装置１は、表示素子１１の表示可能輝度をより確実に所望の輝度に一致させることができ、かつ、これらが一致する時間を長くすることができる。したがって、表示制御装置１は、視野角特性を改善することができる。さらに、表示制御装置１は、１つの表示素子に１つの入力画素を表示させることができるので、解像度に与える影響を小さくすることができる。
【００５５】
なお、ＶＡ（垂直配向）型の液晶表示パネルは、ＩＰＳ（インプレインスイッチング）型の液晶表示パネルよりも視野角特性が劣る傾向がある。したがって、本実施形態は、ＶＡ型の液晶表示パネルに適用された際に、視野角特性を特に大きく改善することが期待される。
【００５６】
さらに、表示制御装置１は、高輝度画素フレームを表示する表示素子１１の数と低輝度画素フレームを表示する表示素子１１の数とを各時点で等しくするので、フリッカを低減することができる。
【００５７】
さらに、表示制御装置１は、表示素子１１の温度、具体的には液晶層温度に基づいて、高輝度画素フレームの数と低輝度画素フレームの数との比を調整する。したがって、表示制御装置１は、表示素子１１の表示可能輝度をより確実に所望の輝度に一致させることができ、かつ、これらが一致する時間を長くすることができる。
【００５８】
さらに、表示制御装置１は、表示素子１１の温度が高いほど、低輝度画素フレームの数と高輝度画素フレームの数との比を１に近づける。したがって、表示制御装置１は、表示素子１１の表示可能輝度をより確実に所望の輝度に一致させることができ、かつ、これらが一致する時間を長くすることができる。
【００５９】
さらに、表示制御装置１は、高輝度画素フレームが表示素子に表示される時間及び低輝度画素フレームが表示素子に表示される時間のうち、少なくとも一方の時間の後半部分で表示素子のバックライト２０を点灯させる。したがって、表示制御装置１は、所望の輝度を表示することができる。
【００６０】
さらに、表示制御装置１は、表示素子１１の温度に基づいて、バックライト２０の点灯時間を調整するので、所望の輝度をより確実に表示することができる。
【００６１】
さらに、表示制御装置１は、表示素子１１の温度が高いほど、バックライト２０の点灯時間を長くするので、所望の輝度をより確実に表示することができる。
【００６２】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００６３】
なお、以下のような構成も本開示の技術的範囲に属する。
（１）
入力画素を前記入力画素よりも輝度の高い高輝度画素フレーム及び前記入力画素よりも輝度の低い低輝度画素フレームに分割し、前記高輝度画素フレーム及び前記低輝度画素フレームの各々を複数フレームずつ連続して表示素子に表示させる表示制御部を備える、表示制御装置。
（２）
前記表示制御部は、前記高輝度画素フレームを表示する表示素子の数と前記低輝度画素フレームを表示する表示素子の数とを各時点で等しくする、前記（１）記載の表示制御装置。
（３）
前記表示制御部は、前記表示素子の温度に基づいて、前記高輝度画素フレームの数と前記低輝度画素フレームの数との比を調整する、前記（１）または（２）記載の表示制御装置。
（４）
前記表示制御部は、前記表示素子の温度が高いほど、前記低輝度画素フレームの数と前記高輝度画素フレームの数との比を１に近づける、前記（３）記載の表示制御装置。
（５）
前記表示制御部は、前記高輝度画素フレームが前記表示素子に表示される時間及び前記低輝度画素フレームが前記表示素子に表示される時間のうち、少なくとも一方の時間の後半部分で前記表示素子のバックライトを点灯させる、前記（１）〜（４）のいずれか１項記載の表示制御装置。
（６）
前記表示制御部は、前記表示素子の温度に基づいて、前記バックライトの点灯時間を調整する、前記（５）記載の表示制御装置。
（７）
前記表示制御部は、前記表示素子の温度が高いほど、前記バックライトの点灯時間を長くする、前記（６）記載の表示制御装置。
（８）
入力画素を前記入力画素よりも輝度の高い高輝度画素フレーム及び前記入力画素よりも輝度の低い低輝度画素フレームに分割し、前記高輝度画素フレーム及び前記低輝度画素フレームの各々を複数フレームずつ連続して表示素子に表示させることを含む、表示制御方法。
（９）
コンピュータに、
入力画素を前記入力画素よりも輝度の高い高輝度画素フレーム及び前記入力画素よりも輝度の低い低輝度画素フレームに分割し、前記高輝度画素フレーム及び前記低輝度画素フレームの各々を複数フレームずつ連続して表示素子に表示させる表示制御機能を実現させる、プログラム。
【符号の説明】
【００６４】
１      表示制御装置
１０      液晶表示パネル
２０      バックライト
３０      データドライバ
４０      ゲートドライバ
５０      温度センサ
６０      表示制御部
６１      画像処理部
６２      記憶部
６３      バックライト制御部
６４      タイミング制御部
【図１】
2013167846.tif 000003
【図２】
2013167846.tif 000004
【図３】
2013167846.tif 000005
【図４】
2013167846.tif 000006
【図５】
2013167846.tif 000007
【図６】
2013167846.tif 000008
【図７】
2013167846.tif 000009
【図８】
2013167846.tif 000010
【図９】
2013167846.tif 000011
【図１０】
2013167846.tif 000012
【図１１】
2013167846.tif 000013
【図１２】
2013167846.tif 000014